(57)【要約】【課題】分離型空気調和機において、冷媒配管間の伝熱による熱損失を抑制しつつ、冷媒配管の据付け作業性を向上し、室内ユニットの据付け自由度を大きくする。【解決手段】分離型空気調和機は、室内ユニット１と室外ユニット９とを室内外の仕切穴７ａを通る冷媒配管を介して接続される。冷媒配管は、室内側断熱材１５で覆われた室内側冷媒配管３と室外側断熱材１６で覆われた室外側冷媒配管１０とを接続して構成される。室内側断熱材１５は、２本の室内側冷媒配管３ａ、３ｂを一緒に収納すると共に、室内側冷媒配管３の先端部より長い延長部１５ｂを設けて室内ユニット横幅より長く形成されている。室外側断熱材１６は、２本の室外側冷媒配管１０ａ、１０ｂを列間を含めて断熱すると共に、断熱材延長部１５ｂの長さとほぼ同じ長さ分だけ短く形成されている。室外側冷媒配管１０の断熱材のない部分は断熱材延長部１５ｂにより覆われる。【選択図】  図１
2005048965.tif 000002
【特許請求の範囲】
【請求項１】
室内熱交換器を内蔵した室内ユニットと室外熱交換器を内蔵した室外ユニットとを室内外の仕切穴を通る冷媒配管を介して接続し、
前記室内ユニットから室内ユニット横幅より短く延びる２本の室内側冷媒配管と前記室外ユニットに接続される２本の室外側冷媒配管とを接続して前記冷媒配管を構成し、
前記室内側冷媒配管を覆う室内側断熱材と前記室外側冷媒配管を覆う室外側断熱材とを設けた分離型空気調和機において、
前記室内側断熱材は、内部空間内に２本の前記室内側冷媒配管を一緒に収納して断熱すると共に、前記室内側冷媒配管の先端部より長い延長部を設けて室内ユニット横幅より長く形成し、
前記室外側断熱材は、２本の前記室外側冷媒配管を列間を含めて断熱すると共に、前記室内側断熱材の延長部の長さとほぼ同じ長さ分だけ前記室外側冷媒配管の先端部より短く形成し、
前記室内側断熱材の延長部は前記室外側冷媒配管の断熱材のない部分を被覆して断熱した
ことを特徴とする分離型空気調和機。
【請求項２】
前記室内側断熱材をフレキシブルな断熱材で形成すると共に先端側から前記室内側冷媒配管の先端部より若干内側の位置まで割り線を入れて形成したことを特徴とする請求項１に記載の分離型空気調和機。
【請求項３】
前記室内側断熱材の延長部の先端を前記室外側断熱材の先端部にオーバーラップするまで延長させて被覆したことを特徴とする請求項１または２に記載の分離型空気調和機
【請求項４】
前記室内ユニットの側方に前記仕切穴が位置しても前記室内側断熱材の延長部の先端が前記仕切穴より室外側に位置する前記延長部の長さに設定したことを特徴とする請求項３に記載の分離型空気調和機
【請求項５】
室内熱交換器及び換気ファンを内蔵した室内ユニットと室外熱交換器を内蔵した室外ユニットとを室内外の仕切穴を通る冷媒配管及び電気ケーブルを介して接続し、
前記室内ユニットから室内ユニット横幅より短く延びる２本の室内側冷媒配管と前記室外ユニットに接続される２本の室外側冷媒配管とを接続して前記冷媒配管を構成し、
前記室内側冷媒配管を覆う室内側断熱材及び前記室外側冷媒配管を覆う室外側断熱材を設け、
前記換気ファンの換気ダクト及び前記室内熱交換器の凝縮水を排出するドレンホースを前記冷媒配管及び電気ケーブルと共に前記仕切穴を通して配設する分離型空気調和機において、
前記室内側断熱材は、フレキシブルな断熱材を用いて形成すると共に、内部空間内に２本の前記室内側冷媒配管を一緒に移動可能に収納して断熱し、前記室内側冷媒配管の先端部より長い延長部を設けて室内ユニット横幅より長く形成し、
前記室外側断熱材は、２本の前記室外側冷媒配管を列間を含めて断熱すると共に、前記室内側断熱材の延長部の長さとほぼ同じ長さ分だけ前記室外側冷媒配管の先端部より短く形成し、
前記室内側断熱材の延長部は前記室外側冷媒配管の断熱材のない部分を被覆して断熱し、
前記冷媒配管は前記室外側冷媒配管の断熱材のない部分より室内側の部分を前記仕切穴に位置して配設した
ことを特徴とする分離型空気調和機。
【請求項６】
前記換気ダクトを円筒状に形成すると共に、この換気ダクトの外周面に沿って前記冷媒配管、前記ドレンホース及び前記電気ケーブルを配置したことを特徴とする請求項５に記載の分離型空気調和機
【発明の詳細な説明】
【０００１】
【発明の属する技術分野】
本発明は、室内ユニットと室外ユニットとを冷媒配管を介して接続する分離型空気調和機に関する。
【０００２】
【従来の技術】
従来の分離型空気調和機としては、特開平８−２６１５０７号公報（特許文献１）に示されたものがある。この特許文献１の分離型空気調和機では、圧縮機により送られる冷媒を室内ユニット内の熱交換器と室外ユニット内の熱交換器に通して圧縮機に再び戻すように循環をさせて冷凍サイクルを構成するものである。冷媒の循環は据え付け時に壁や窓などの室内外を仕切る仕切に設けた仕切穴に通して室内と室外の間を行き戻りさせる２本の冷媒配管が接続されることにより可能になるものである。
【０００３】
その冷媒配管の一部（室内側冷媒配管）は出荷前に室内ユニットに直結して室内ユニットから延びている。残りの冷媒配管（室外側冷媒配管）は、出荷時には別包装されており、据え付け時に、一端側が室外ユニットに接続され、他端側が室内側冷媒配管と接続される。室内側冷媒配管は、その長さが室内ユニットの横幅と同程度以下（一般には０．２ｍ程度短くて０．５ｍ〜０．７ｍの長さ）であり、室外側冷媒配管（一般には３ｍ〜５ｍの長さ）との接続部を室外側にした接続例が示されている。室内側冷媒配管及び室外側冷媒配管は、それぞれがチューブ状の断熱材で被覆されている。その断熱被覆の長さは、ほぼ各配管と同等である。
【０００４】
また、従来の分離型空気調和機としては、特開平７−５５１９９号公報（特許文献２）に示されたものがある。この特許文献２の分離型空気調和機では、室内ユニットと室外ユニットとを接続する２本の冷媒配管を、列間を含めてドレンホースや電気ケーブルとともに一体にチューブ状の断熱材で被覆したものである。
【０００５】
また、従来の分離型空気調和機としては、特開昭５８−１８７７７０号公報（特許文献３）に示されたものがある。この特許文献３の分離型空気調和機では、室内ユニットと室外ユニットとを接続する２本の冷媒配管を、列間を含めてチューブ状の断熱材で一体に被覆し、高圧側冷媒配管の周囲に除湿水流路を形成したものである。
【０００６】
そして、特許文献１では室内側冷媒配管と室外側冷媒配管とを接続して冷媒配管を構成するものであるため、特許文献２及び３と比較して室内ユニットと室外ユニットとの間の冷媒配管の接続が容易である。また、特許文献２及び３では２本の冷媒配管の列間に断熱材を介在させたものであるため、冷媒配管間の伝熱による熱損失の低減を図ることができる。さらには、特許文献２では２本の冷媒配管が断熱材で一体に形成されているため、付属部品としての冷媒配管の取扱い性がよいものである。
【０００７】
【特許文献１】
特開平８−２６１５０７号公報
【特許文献２】
特開平７−５５１９９号公報
【特許文献３】
特開昭５８−１８７７７０号公報
【０００８】
【発明が解決しようとする課題】
しかし、特許文献１では、冷媒配管間の伝熱による熱損失が大きなものになってしまうと共に、室内側冷媒配管と室外側冷媒配管との接続を別途部品として用意された断熱材を用い、その両端を所定の位置に合わせてその上からテープ巻きをする作業が必要であり、極めて面倒な作業となっていた。分離型空気調和機における室内側冷媒配管と室外側冷媒配管との接続作業は高所で行なわれることが多いので、特にその作業性を良好にすることが望まれている。
また、仕切穴から離れた位置に室内ユニットを据え付ける場合には、室内側冷媒配管と室外側冷媒配管との接続部が室内側に位置し、これに伴って別部品の断熱材も
特許文献２及び３では、２本の冷媒配管の列間を含む一体形断熱材を用いているため、室内外を仕切る仕切穴を断熱材付きの冷媒配管を通して壁などに沿って所定の状態に折り曲げる作業が面倒であった。
【０００９】
特に、室内ユニットに換気ファンを備え、換気ファンの換気ダクトを冷媒配管と一緒に仕切穴に通すものにおいては、特許文献２及び３のような冷媒配管を用いた場合、仕切穴内での冷媒配管の融通性が悪いため、換気ダクトの外径を小さいものとせざるを得ず、換気性能の低下を招いていた。
【００１０】
本発明の目的は、室内ユニットと室外ユニットとを接続する冷媒配管間の伝熱による熱損失を抑制しつつ、冷媒配管の据付け作業性を向上できると共に、室内ユニットの据付け自由度を大きくすることができる分離型空気調和機を提供することができる。
【００１１】
本発明の目的は、室内ユニットと室外ユニットとを接続する冷媒配管間の伝熱による熱損失を抑制し、換気ファンの換気ダクトの通風断面積を大きく確保しつつ、冷媒配管の据付け作業性を向上できると共に、室内ユニットの据付け自由度を大きくすることができる分離型空気調和機を提供することができる。
【００１２】
【課題を解決するための手段】
前記目的を達成するために、本発明は、室内熱交換器を内蔵した室内ユニットと室外熱交換器を内蔵した室外ユニットとを室内外の仕切穴を通る冷媒配管を介して接続し、前記室内ユニットから室内ユニット横幅より短く延びる２本の室内側冷媒配管と前記室外ユニットに接続される２本の室外側冷媒配管とを接続して前記冷媒配管を構成し、前記室内側冷媒配管を覆う室内側断熱材と前記室外側冷媒配管を覆う室外側断熱材とを設けた分離型空気調和機において、前記室内側断熱材は、内部空間内に２本の前記室内側冷媒配管を一緒に収納して断熱すると共に、前記室内側冷媒配管の先端部より長い延長部を設けて室内ユニット横幅より長く形成し、前記室外側断熱材は、２本の前記室外側冷媒配管を列間を含めて断熱すると共に、前記室内側断熱材の延長部の長さとほぼ同じ長さ分だけ前記室外側冷媒配管の先端部より短く形成し、前記室内側断熱材の延長部は前記室外側冷媒配管の断熱材のない部分を被覆して断熱したことにある。
【００１３】
前記別の目的を達成するために、本発明は、室内熱交換器及び換気ファンを内蔵した室内ユニットと室外熱交換器を内蔵した室外ユニットとを室内外の仕切穴を通る冷媒配管及び電気ケーブルを介して接続し、前記室内ユニットから室内ユニット横幅より短く延びる２本の室内側冷媒配管と前記室外ユニットに接続される２本の室外側冷媒配管とを接続して前記冷媒配管を構成し、前記室内側冷媒配管を覆う室内側断熱材及び前記室外側冷媒配管を覆う室外側断熱材を設け、前記換気ファンの換気ダクト及び前記室内熱交換器の凝縮水を排出するドレンホースを前記冷媒配管及び電気ケーブルと共に前記仕切穴を通して配設した分離型空気調和機において、前記室内側断熱材は、フレキシブルな断熱材を用いて形成すると共に、内部空間内に２本の前記室内側冷媒配管を一緒に移動可能に収納して断熱し、前記室内側冷媒配管の先端部より長い延長部を設けて室内ユニット横幅より長く形成し、前記室外側断熱材は、２本の前記室外側冷媒配管を列間を含めて断熱すると共に、前記室内側断熱材の延長部の長さとほぼ同じ長さ分だけ前記室外側冷媒配管の先端部より短く形成し、前記室内側断熱材の延長部は前記室外側冷媒配管の断熱材のない部分を被覆して断熱し、前記冷媒配管は前記室外側冷媒配管の断熱材のない部分より室内側の部分を前記仕切穴に位置して配設したことにある。
【００１４】
【発明の実施の形態】
以下、本発明の一実施形態による分離型空気調和機について図を用いて説明する。
【００１５】
本実施形態の分離型空気調和機の全体構成に関して図１を参照しながら説明する。図１は本実施形態の分離型空気調和機の据え付け状態の説明図である。
【００１６】
分離型空気調和機は、室内に設置された室内ユニット１と室外に設置された室外ユニット９とを室内外の仕切穴７ａを通る冷媒配管３、１０及び電気ケーブル１４（図５参照）を介して接続して構成されている。
【００１７】
室内ユニット１は前面ケース１ａ及び背面ベース１ｂを有して構成されている。室内ユニット１の左右方向の中央に室内熱交換器及び室内ファンが収納され、左右方向の一側端部に換気ファン４が収納されている。室外ユニット９の内部には、圧縮機、室外ファンおよび室外熱交換器が収納されている。室外ユニット９の側面には、圧縮機及び室外熱交換器との連結口１１が設けられている。
【００１８】
冷媒配管３、１０は、室内ユニット１から室内ユニット横幅より短く延びる２本の室内側冷媒配管３ａ、３ｂと、室外ユニット９から長く延びる２本の室外側冷媒配管１０ａ、１０ｂとを接続部１２で接続することにより構成されている。
【００１９】
室内側冷媒配管３は冷媒が往復する低圧側の室内側冷媒配管３ａと高圧側の室内側冷媒配管３ｂとから構成されている。室内側冷媒配管３ａ、３ｂは、その長さが室内ユニット横幅と同程度以下（０．２ｍ程度短く、０．５ｍ〜０．７ｍの長さ）の銅管で形成されており、室内側断熱材１５でカバーされている。
【００２０】
冷媒配管１０は冷媒が往復する低圧側の室外側冷媒配管１０ａと高圧側の室外側冷媒配管１０ｂとから構成されている。室外側冷媒配管１０ａは圧縮機に接続され、室外側冷媒配管１０ｂは室外熱交換器に接続される。室外側冷媒配管１０ａ、１０ｂは、その長さが室内側冷媒配管３ａ、３ｂの４倍以上（３ｍ〜５ｍの長さ）の銅管で形成されており、室外側断熱材１６でカバーされている。
【００２１】
しかるに、室外側冷媒配管１０ａ、１０ｂは３ｍ〜５ｍと長いものであるので、別部品として梱包されて提供されることが多く、据え付け作業時に、室外ユニットに用意されている連結口１１に一端側が接続され、他端側が室内ユニット１より出る室内側冷媒配管３ａ、３ｂと接続される。これによって、冷媒循環路が形成される。
【００２２】
換気ファン４は、ケーシング４ａから接続ダクト５及び換気ダクト６を通して室内の空気を室外に向けて排出する。換気ダクト６は仕切穴７ａより引き出されている。この場合、換気ダクト６は室外空気を室内に供給する給気機能を備えているが、ここでは煩雑を避けるため排気形態のみで図示してある。
【００２３】
仕切穴７ａは、室内と室外を仕切る仕切７を貫通するように円柱状に形成され、必要最小限の大きさで設けられている。この仕切７は一般には壁などのある程度厚みを有する場合が多い。従って、仕切穴７ａはある程度の長さを有することとなる。
【００２４】
この仕切穴７ａには円筒状のスリーブ１３が嵌め込まれ、冷媒配管３または１０、換気ダクト６、ドレンホース８及び電気ケーブル１４などの傷付き防止の役目をしている。スリーブ１３は直径６５ｍｍ程度の標準化されたものが用いられる。電気ケーブル１４は制御用であって、室内ユニット１と室外ユニット９間の動力及び信号を連絡するものである。
【００２５】
ドレンホース８は、室内熱交換器の凝縮水を排出するためのものであり、断熱性のチューブで形成され、仕切穴７ａを通して室外まで延びている。ドレンホース８の先端は室外の適宜位置で開口されている。
【００２６】
かかる構成において、冷凍サイクルは圧縮機、室外熱交換器、室内熱交換器および冷媒配管３、１０などで構成される。室内熱交換器が蒸発器として作用する場合には冷房運転となり、冷媒を逆方向に循環させて圧縮機から直接室内熱交換器に送ると凝縮器として作用して暖房運転となる。
【００２７】
次に、本実施形態の要部である冷媒配管の接続部１２及びその近傍の詳細を図２及び図３を参照しながら説明する。図２は図１における配管接続部及びその付近の説明図、図３は図２の各所断面図である。図３（ａ）は図２のＡ−Ａ断面図、図３（ｂ）は図２のＢ−Ｂ断面図、図３（ｃ）は図２のＣ−Ｃ断面図である。
【００２８】
室内ユニット１より出る２本の室内側冷媒配管３ａ、３ｂは、図２及び図３（ａ）、（ｂ）に示すように、２本一緒にフレキシブルな室内側断熱材１５で被覆され、断熱材中で移動可能な緩めな状態になっている。室内側断熱材１５は、図３（ａ）、（ｂ）の２点鎖線１５’のように容易に変形できる。
【００２９】
また、室内側断熱材１５は室内側冷媒配管３ａ、３ｂの長さよりも図２に示すようにＬ寸法長く設定され、室内ユニット横幅より長く設けられている（図１参照）。室内側断熱材１５の長さは、室内ユニット１の側方に仕切穴７が位置しても、その延長部の先端が仕切穴７より室外側に位置するように設定されている。
【００３０】
室内側断熱材１５の延長部１５ｂには接続作業を容易にするために縦割り線１５ａが設けられている。縦割り線１５ａは、室内側断熱材１５の先端から配管接続部１２より若干内側の位置まで、すなわち、先端から冷媒配管３ａ先端より若干入り込んだ位置まで設けられている。この縦割り線１５ａは、室内側断熱材１５をカッターなどで切断することにより容易に形成することができる。
【００３１】
一方、室外ユニット側より出る室外側冷媒配管１０ａ、１０ｂの大部分は、図３（ｃ）に示すように、管毎に室外側断熱材１６で被覆されている。即ち、室外側断熱材１６は２本の室外側冷媒配管１０ａ、１０ｂを列間を含めて断熱するように一体に形成されている。これによって、２本の室外側冷媒配管１０ａ、１０ｂ間の伝熱による熱損失を抑制することができる。
【００３２】
２本の室外側冷媒配管１０ａ、１０ｂは、室外側断熱材１６の中では互いに変形することが不可能な状態になっているが、本実施形態では先端側（接続する側）における断熱材を予め除去してあるので、この除去した部分が互いに容易に変形することができるものである。これによって、室外側冷媒配管１０ａ、１０ｂの据付け作業性を向上できる。この室外側冷媒配管１０ａ、１０ｂの据付け作業性の向上に伴って、室外側冷媒配管１０ａ、１０ｂを仕切穴７内に通して室内側冷媒配管３ａ、３ｂと接続することが可能となるので、室内ユニット１をその分だけ仕切穴７から離すことが可能となり、室内ユニット１の据付け自由度を大きくすることができる。
【００３３】
この室外側断熱材１６の除去については、室内側断熱材１５とのオーバーラップ寸法をαとすると、室外側冷媒配管１０ａ、１０ｂの先端側がＬ−α寸法分だけ除去している。このように、室内側断熱材１５の延長部１５ａの先端を室外側断熱材１６の先端部にオーバーラップするまで延長させて被覆することにより、接続部１２、室外側冷媒配管１０ａ、１０ｂ断熱作業を容易にし、且つ、断熱性能も確保できるものである。
【００３４】
室内側断熱材１５の延長部の長さは、次のことを考慮すれば、０．２ｍ〜０．７ｍが適切である。その考慮点は、仕切穴７が室内ユニット１から出る配管引き出し側と反対側の室内ユニット側方にあって、室内側冷媒配管３ａ、３ｂを室内ユニット背面を横断させた場合に少なくとも仕切穴７を通して室外に臨める長さを有していること、据え付け作業時に足場を変えずに片手で扱える長さであること、室内ユニット１の梱包時に室内ユニット背面に沿って配置された室内側冷媒配管３の先端から反対に一度の折返しで梱包できることである。
【００３５】
図２に２点鎖線で示した３つの仕切７は接続部１２に対応する代表的な仕切穴７ａの位置をモデル表示したものであるが、実際には室内側冷媒配管３ａ、３ｂあるいは配管１０ａ、１０ｂが仕切穴７ａで曲げられることが大部分である。
【００３６】
次に、室内ユニット１の実際の据え付け形態のいくつかを、図４を参照しながら説明する。図４は図１の分離型空気調和機の据付け形態の説明図である。図４（ａ）は接続部１２が室内側に位置する形態例、図４（ｂ）は接続部１２が仕切穴７ａ内に位置する形態例、図４（ｃ）は接続部１２が室外側に位置する形態例の場合である。
【００３７】
図４（ａ）では、室内ユニット１が仕切穴７ａからかなり離れて据え付けられ、室内ユニット１より出された室内側冷媒配管３ａ、３ｂの先端部が仕切穴７ａを通して室外まで臨めない場合の据付け形態例である。
【００３８】
この場合には、室外側冷媒配管１０ａ、１０ｂが室内側まで入ることになるので、室外側冷媒配管１０ａ、１０ｂは仕切穴７ａの室内側開口部で仕切穴７ａ側に向く曲がりと室外側開口部で室外ユニット側に向く曲がりとの少なくとも２度の曲がりが生ずることとなる。
【００３９】
しかし、室外側冷媒配管１０ａ、１０ｂを被覆する室外側断熱材１６を先端側から除去してあるので、室内側冷媒配管３ａ、３ｂと合わせて長い距離で応力を吸収できる。また、各室外側冷媒配管１０ａ、１０ｂを１本毎に目視と触感とで所定の曲率の小さい曲げ形成を容易に行なうことができるので、室外側冷媒配管１０ａ、１０ｂが潰れないように作業することも可能である。
【００４０】
また、個々の室外側冷媒配管１０ａ、１０ｂの先端側では室外側断熱材１６が除去され、２本が一緒に覆われる室内側断熱材１５の中では室外側冷媒配管１０ａ、１０ｂの列間を狭くしたり広くしたりする位置移動が可能であるので、室内側断熱材１５を含め周囲形状に対応して外形を変形してスリーブ１３内にスペースを生み出すことができる。このスリーブ１３内のスペースを活用して、スリーブ１３内で、少なくとも曲げ形成の一部を作ったり、曲げが少なくて済む場合には曲げ形成の全部作ったりすることができるので、仕切穴７ａの直前及び直後の曲げ位置および曲げ量の精度を高く必要とせず、据え付け作業が容易となるばかりか、最終作業で曲げ形成の修正ができることにより、壁にフィットした仕上り感の良いものにすることができる。
【００４１】
また、冷媒配管３、１０の接続部１２を室内側に位置させても、室外側冷媒配管１０ａ、１０ｂの曲げ作業が容易にできるので、室内ユニット１の据え付け位置は仕切穴７ａの位置からさらに室内側断熱材１５の延長部１５ｂの長さ（０．２ｍ〜０．７ｍ）分だけ遠く離すことが可能となり、室内ユニット１の据え自由度が向上できる。
【００４２】
また、接続部１２の断熱処理は、室内側配管３に設けた断熱材延長部１５ｂをそのまま使用して室外側冷媒配管１０に設けた断熱材１６に届かせてテープ等を巻けばよいので、従来のような位置決め作業を必要とせず、当部品の紛失や落下などの問題も起らず、作業の迅速化をはかることができる。
【００４３】
図４（ｂ）では、室内ユニット１が仕切穴７ａから少し離れて据え付けられ、室内ユニット１より出された室内側冷媒配管３ａ、３ｂの先端部が仕切穴７ａまで延び、冷媒配管３、１０の接続部１２が仕切穴７ａ内になる場合の据え付け形態である。
【００４４】
この場合には、室内ユニット１より出る室内側冷媒配管３ａ、３ｂが仕切穴７ａの室内側開口部で曲げられ、室外ユニット９より出る室外側冷媒配管１０ａ、１０ｂが仕切穴７ａの室外側開口部で曲げられることとなる。しかし、室内ユニット１より出る室内側冷媒配管３ａ、３ｂは室内側断熱材１５の縦割り線１５ａを開ければ室内側冷媒配管３ａ、３ｂを目視及び触感できると共に、室外ユニット９より出る室外側冷媒配管１０ａ、１０ｂの断熱材除去部を目視及び触感できるので、これらの配管の曲げ形成を容易に行なうことができる。また、これらの配管とも曲げ部は先端近傍に限られるので、曲げの位置と形状の判断が簡単となり、その作業が容易に行なえる。
【００４５】
図４（ｃ）では、室内ユニット１が仕切穴７ａの近くに据え付けられ、室内ユニット１より出された室内側冷媒配管３ａ、３ｂの先端部が仕切穴７ａを通して室外まで至る場合の形態例である。
【００４６】
この場合には、室内側冷媒配管３ａ、３ｂは仕切穴７ａの室内側開口部で仕切穴７ａ側に向く曲がりと室外側開口部で室外ユニット側に向く曲がりとの２度の曲がりが生ずることとなる。
【００４７】
しかし、室内ユニット１より出された室内側冷媒配管３ａ、３ｂは１本毎に曲げの形成ができ、室内側断熱材１５内で移動可能であるのに加え、仕切穴７ａの奥行き寸法内で室外側出口にかけて徐々に曲げをすることができる。室外ユニット９より出る室外側冷媒配管１０の断熱材除去部も１本毎になっているので、室内側冷媒配管３と室外側冷媒配管１０との接続後に長い距離で変形応力を吸収でき、室外側ユニット側に向けた曲げの修正が容易に行なえる。これによって、室外壁にフィットした良い仕上げにすることができる。
【００４８】
また、接続部１２の断熱作業に関しては、室内ユニット側の据付け作業を完成させておき、その後に室外において、室内ユニット側から出した室内側断熱材１５の延長部１５ｂを室外ユニット側より出る室外側断熱材１６に届かせてテープ等で抑えればよいので、作業が容易である。
【００４９】
次に、室外側冷媒配管１０ａ、１０ｂ、換気ダクト６、ドレンホース８及び電気ケーブル１４が仕切穴７ａを通る状態について図５を参照しながら説明する。図５は図１の据付け形態におけるスリーブ１３部分の断面図である。
【００５０】
図５から明らかなように室外側冷媒配管１０ａ、１０ｂの断熱材除去部がスリーブ１３内に位置する場合には、室外側冷媒配管１０ａ、１０ｂが室内ユニット１より出された室内側断熱材１５の延長部１５ｂの中で移動が可能であると共に、断熱材延長部１５ｂがフレキシブルであるので、スリーブ１３内では換気ダクト６やドレンホース８の形に合わせて位置移動され、断熱材延長部１５ｂの外形変形により整列が得られる。これによって、室外側冷媒配管１０ａ、１０ｂ及び断熱材延長部１５ｂ以外のスリーブ１３内のスペースを広げることができる。
【００５１】
そのため、仕切穴７ａ内において曲げ形成を得ることができるほか、それにより、仕切穴７ａの前後における曲げ形成も壁にフィットする形に仕上げることができる。また、前記スペースができる分を換気ダクト６の口径増に活用して換気能力を向上させることができる。
【００５２】
【発明の効果】
以上の実施形態の説明から明らかなように、本発明によれば、室内ユニットと室外ユニットとを接続する冷媒配管間の伝熱による熱損失を抑制しつつ、冷媒配管の据付け作業性を向上できると共に、室内ユニットの据付け自由度を大きくすることができる分離型空気調和機を得ることができる。
【００５３】
また、本発明によれば、室内ユニットと室外ユニットとを接続する冷媒配管間の伝熱による熱損失を抑制し、換気ファンの換気ダクトの通風断面積を大きく確保しつつ、冷媒配管の据付け作業性を向上できると共に、室内ユニットの据付け自由度を大きくすることができる分離型空気調和機を得ることができる。
【図面の簡単な説明】
【図１】本発明の一実施形態の分離型空気調和機の据え付け状態の説明図である。
【図２】図１における配管接続部及びその付近の説明図である。
【図３】図２の各所断面図である。
【図４】図１の分離型空気調和機の据付け形態の説明図である。
【図５】図１の据付け形態におけるスリーブ１３部分の断面図である。
【符号の説明】
１…室内ユニット、１ａ…前面ケース、１ｂ…背面ベース、３ａ、３ｂ…室内側冷媒配管、４…換気ファン、４ａ…ケーシング、５…接続ダクト、６…換気ダクト、７…仕切、７ａ…仕切穴、８…ドレンホース、９…室外ユニット、１０ａ、１０ｂ…室外側冷媒配管、１１…連結口、１２…接続部、１３…スリーブ、１４…電気ケーブル、１５…室内側断熱材、１５ａ…縦割り線、１５ｂ…断熱材延長部、１６…室外側断熱材。
【図１】
2005048965.tif 000003
【図２】
2005048965.tif 000004
【図３】
2005048965.tif 000005
【図４】
2005048965.tif 000006
【図５】
2005048965.tif 000007